(57)【特許請求の範囲】
【請求項１】
有効領域の画素データを伝送する伝送手段と、前記伝送手段に対して前記有効領域を指示する伝送制御手段と、を備え、
前記伝送制御手段は、有効領域の大きさの指定単位、有効領域の位置の指定単位、前記大きさの指定単位に基づく有効領域の大きさ、及び前記位置の指定単位に基づく有効領域の位置を保持する、画像伝送装置。
【請求項２】
有効領域の大きさの指定単位及び有効領域の位置の指定単位を保持する第１の記憶手段と、
前記大きさの指定単位に基づく有効領域の大きさ、及び前記位置の指定単位に基づく有効領域の位置を保持する第２の記憶手段と、
前記第２の記憶手段に保持された大きさ及び位置により特定される有効領域の画素データを伝送する伝送手段と、を備えた画像伝送装置。
【請求項３】
前記位置の指定単位は、前記大きさの指定単位より小さく設定される、請求項１又は請求項２に記載の画像伝送装置。
【請求項４】
有効領域の大きさと、有効領域の大きさの指定単位とは独立に設定された有効領域の位置の指定単位を用いた有効領域の位置と、を保持する記憶手段と、
前記記憶手段に保持された大きさ及び位置により特定される有効領域の画素データを伝送する伝送手段と、を備えた画像伝送装置。
【請求項５】
有効領域の大きさの指定単位を示すパラメータと、有効領域の位置の指定単位を示すパラメータと、をそれぞれ保持する記憶手段と、
前記大きさの指定単位に基づいて定まる有効領域の大きさと、前記位置の指定単位に基づいて定まる有効領域の位置とにより画像の有効領域を特定する伝送制御手段と、を備えたデジタルカメラ。
【請求項６】
有効領域の大きさの指定単位を示すパラメータと、有効領域の位置の指定単位を示すパラメータと、をそれぞれ保持する記憶手段と、
前記大きさの指定単位に基づいて定まる有効領域の大きさと、前記位置の指定単位に基づいて定まる有効領域の位置とにより画像の有効領域を特定する伝送制御手段と、を備えた画像処理装置。
【請求項７】
有効領域の大きさの指定単位を示すパラメータと、有効領域の位置の指定単位を示すパラメータと、をそれぞれ保持する記憶手段と、有効領域の画素データを伝送する伝送手段と、前記伝送手段に対して前記有効領域を指示する伝送制御手段と、を備える画像伝送装置における画像伝送方法であって、
前記伝送制御手段により、前記大きさの指定単位を示すパラメータに基づいて画像の有効領域の大きさを設定する工程と、
前記伝送制御手段により、前記位置の指定単位を示すパラメータに基づいて画像の有効領域の位置を設定する工程と、
前記伝送手段により、前記設定された大きさ及び位置により特定される有効領域の画素データを伝送する工程と、を備えた画像伝送方法。
【請求項８】
有効領域の大きさと、有効領域の大きさの指定単位とは独立に設定された有効領域の位置の指定単位を用いた有効領域の位置と、を前記記憶手段に保持し、
前記伝送手段により、前記大きさ及び位置により特定される有効領域の画素データを伝送する工程と、を備えた画像伝送方法。
【請求項９】
有効領域の大きさの指定単位を示すパラメータと、有効領域の位置の指定単位を示すパラメータと、をそれぞれ保持する記憶手段と、前記有効領域を特定する伝送制御手段と、を備える画像伝送装置における画像の有効領域指定方法であって、
前記伝送制御手段により、前記大きさの指定単位を示すパラメータに基づいて画像の有効領域の大きさを設定する工程と、
前記伝送制御手段により、前記位置の指定単位を示すパラメータに基づいて画像の有効領域の位置を設定する工程と、
前記伝送制御手段により、前記有効領域の大きさと前記有効領域の位置に基づいて画像の有効領域を特定する工程と、を備えた画像の有効領域指定方法。
【発明の詳細な説明】
【０００１】
【発明の属する技術分野】
本発明は、カメラの１画面の任意な画像領域を伝送するようにした画像伝送装置、デジタルカメラ、画像処理装置、画像伝送方法、画像伝送方法、及び画像の有効領域指定方法に関する。
【０００２】
【従来の技術】
従来、この種の画像伝送方式としては、ＩＥＥＥ１３９４シリアルバスのようなネットワーク上に画像データを伝送するためのディジタルカメラのプロトコルが１３９４ＴＡで規格化されており、１３９４  based Digital CameraSpecification Rev １．２０では、全ての画像領域のうち、指定された一部の領域の画像データのみを伝送する方法が定義されている。
【０００３】
そこで、図５を参照し、上記従来の画像伝送方法のうち本発明に関係する部分について説明する。図５はカメラの撮像画面のうち任意の画像領域（１画面全部でも一部でもよい）を指定する指定方法を説明する説明図であり、（Ａ）は画面上の領域及び寸法を示す図、（Ｂ）は領域を指定するためのパラメータを示す図である。
【０００４】
図５の（Ｂ）のパラメータに示す有効領域各部の大きさ及びサイズ（Ａ，Ｂ，Ｃ’，Ｄ’，Ｅ，Ｆ，Ｇ，Ｈで表す）は、図５の（Ａ）に示す画像領域の各対応する符号（Ａ〜Ｈ）で示す部分の大きさ及びサイズを表すものである。すなわち、図５の（Ｂ）の（１）に示す“Ａ”は水平方向の有効領域（伝送が指定された画像領域、以下同じ）の大きさの最大値、“Ｂ”は垂直方向の有効領域の大きさの最大値、図５の（Ｂ）の（２）に示す“Ｃ’”は水平方向の有効領域の指定単位、“Ｄ’”は垂直方向の有効領域の指定単位、図５の（Ｂ）の（３）に示す“Ｅ”は水平方向の有効領域の位置、“Ｆ”は垂直方向の有効領域の位置、図５の（Ｂ）の（４）に示す“Ｇ”は水平方向の有効領域のサイズ、“Ｈ”は垂直方向の有効領域のサイズを示す。
【０００５】
次に、図５の（Ａ）及び（Ｂ）を参照して、上記従来の画像伝送の動作を説明する。まず、カメラ側のレジスタ（図示せず）に、有効領域の大きさの最大値（Ａ：水平方向、Ｂ：垂直方向）と有効領域の指定単位（Ｃ’：水平方向、Ｄ’：垂直方向）を設定する。その画像領域の伝送を要求する制御装置側はこれらの値を取得して、取得したこれらのデータに基づき、領域が有効領域の指定単位の整数倍で最大値以内の値となるような有効領域の位置（Ｅ：水平方向、Ｆ：垂直方向）と有効領域のサイズ（Ｇ：水平方向、Ｈ：垂直方向）とを決定して、カメラのレジスタに設定する。
これらパラメータの値をカメラのレジスタに設定した後、画像伝送手順を開始して、上記で指定した有効領域の画像データをネットワーク上に伝送する。
【０００６】
【発明が解決しようとする課題】
しかしながら、上記従来の画像伝送方法においては、画像伝送を行う有効領域の位置（Ｅ、Ｆ）を指定する指定単位（Ｃ’、Ｄ’）と有効領域のサイズ（Ｇ、Ｈ）を指定する指定単位（Ｃ’、Ｄ’）とは同一のものを使用していたため、有効領域の位置または有効領域の大きさのいずれか一方の指定単位の設定に制約があるような場合、他方にも制約が波及して自由な設計ができないという問題があった。
【０００７】
その例として、例えば、ＹＵＶ４：１：１の画像を伝送する場合、水平方向の画素数は４の倍数にする必要がある。この場合、有効領域の指定単位（大きさと位置）は４の倍数にしなければならず、例えば１画素単位で有効領域の位置を指定することはできないという問題があった。
【０００８】
本発明は、上記従来の問題を解決するためになされたもので、有効領域の位置を指定する指定単位と有効領域のサイズを指定する指定単位とを相互に関係なく設定することにより、どちらか一方の指定単位の設定に制約があっても、その制約が他方に波及しないようにした画像伝送方法及びそれを実現する画像伝送装置を提供することを目的とする。
【０００９】
【課題を解決するための手段】
本発明における画像伝送方法及びそれを実現する画像伝送装置は、伝送するべき画像領域（以下、有効領域という）の大きさを決める指定単位（Ｃ，Ｄ）とは別に有効領域の位置を決める指定単位（Ｉ，Ｊ）を、有効領域の大きさを決める指定単位とは無関係な値に設定するようにしたものである。
【００１０】
本発明は、有効領域の大きさを決める指定単位と有効領域の位置を決める指定単位とを別個無関係に設定するようにしたことにより、有効領域の位置を指定する指定単位かまたは有効領域のサイズを指定する指定単位のどちらか一方の指定単位の設定に制約がある場合でも、その制約が他方に波及しないように設定することができる画像伝送装置、デジタルカメラ、画像処理装置、画像伝送方法、画像伝送方法、及び画像の有効領域指定方法が得られる。
【００１１】
【発明の実施の形態】
本発明における画像伝送装置は、有効領域の画素データを伝送する伝送手段と、前記伝送手段に対して前記有効領域を指示する伝送制御手段と、を備え、前記伝送制御手段は、有効領域の大きさの指定単位、有効領域の位置の指定単位、前記大きさの指定単位に基づく有効領域の大きさ、及び前記位置の指定単位に基づく有効領域の位置を保持するようにしたものであり、有効領域の位置を指定する指定単位かまたは有効領域のサイズを指定する指定単位のどちらか一方の指定単位の設定に制約がある場合でも、その制約が他方に波及しないように設定することができるという作用を有する。
【００１２】
本発明におけるデジタルカメラは、有効領域の大きさの指定単位を示すパラメータと、有効領域の位置の指定単位を示すパラメータと、をそれぞれ保持する記憶手段と、前記大きさの指定単位に基づいて定まる有効領域の大きさと、前記位置の指定単位に基づいて定まる有効領域の位置とにより画像の有効領域を特定する伝送制御手段と、を備えるようにしたものであり、有効領域の位置を指定する指定単位かまたは有効領域のサイズを指定する指定単位のどちらか一方の指定単位の設定に制約がある場合でも、その制約が他方に波及しないように設定することができるという作用を有する。
【００１３】
本発明における画像処理装置は、有効領域の大きさの指定単位を示すパラメータと、有効領域の位置の指定単位を示すパラメータと、をそれぞれ保持する記憶手段と、前記大きさの指定単位に基づいて定まる有効領域の大きさと、前記位置の指定単位に基づいて定まる有効領域の位置とにより画像の有効領域を特定する伝送制御手段と、を備えるようにしたものであり、有効領域の位置を指定する指定単位かまたは有効領域のサイズを指定する指定単位のどちらか一方の指定単位の設定に制約がある場合でも、その制約が他方に波及しないように設定することができるという作用を有する。
【００１４】
本発明における画像伝送方法は、有効領域の大きさの指定単位を示すパラメータと、有効領域の位置の指定単位を示すパラメータと、をそれぞれ保持する記憶手段と、有効領域の画素データを伝送する伝送手段と、前記伝送手段に対して前記有効領域を指示する伝送制御手段と、を備える画像伝送装置における画像伝送方法であって、前記伝送制御手段により、前記大きさの指定単位を示すパラメータに基づいて画像の有効領域の大きさを設定する工程と、前記伝送制御手段により、前記位置の指定単位を示すパラメータに基づいて画像の有効領域の位置を設定する工程と、前記伝送手段により、前記設定された大きさ及び位置により特定される有効領域の画素データを伝送する工程と、を備えるようにしたものであり、有効領域の位置を指定する指定単位かまたは有効領域のサイズを指定する指定単位のどちらか一方の指定単位の設定に制約がある場合でも、その制約が他方に波及しないように設定することができるという作用を有する。
【００１５】
本発明における画像の有効領域指定方法は、有効領域の大きさの指定単位を示すパラメータと、有効領域の位置の指定単位を示すパラメータと、をそれぞれ保持する記憶手段と、前記有効領域を特定する伝送制御手段と、を備える画像伝送装置における画像の有効領域指定方法であって、前記伝送制御手段により、前記大きさの指定単位を示すパラメータに基づいて画像の有効領域の大きさを設定する工程と、前記伝送制御手段により、前記位置の指定単位を示すパラメータに基づいて画像の有効領域の位置を設定する工程と、前記伝送制御手段により、前記有効領域の大きさと前記有効領域の位置に基づいて画像の有効領域を特定する工程と、を備えるようにしたものであり、有効領域の位置を指定する指定単位かまたは有効領域のサイズを指定する指定単位のどちらか一方の指定単位の設定に制約がある場合でも、その制約が他方に波及しないように設定することができるという作用を有する。
【００１６】
以下、添付図面、図１乃至図４に基づき、本発明の一実施の形態を詳細に説明する。
（実施の形態１）
まず、図１の（Ａ）及び（Ｂ）を参照して、本発明の実施の形態１における画像伝送方法及び画像伝送装置の基本思想について説明する。図１は伝送のためカメラの撮像画面のうち任意の画像領域（１画面全部でも一部でもよい）を指定する指定方法を説明する説明図であり、（Ａ）は画面上の有効領域及び寸法を示す図、（Ｂ）は有効領域を指定するためのパラメータを示す図である。
【００１７】
図１の（Ｂ）のパラメータに示す有効領域各部の大きさ及びサイズ（Ａ，Ｂ，Ｃ，Ｄ，Ｅ，Ｆ，Ｇ，Ｈ，Ｉ，Ｊで表す）は、図１の（Ａ）に示す画像領域の各対応する符号（Ａ〜Ｊ）で示す部分の大きさ及びサイズを表すものである。すなわち、図１の（Ｂ）の（１）に示す“Ａ”は水平方向の有効領域の大きさの最大値、“Ｂ”は垂直方向の有効領域の大きさの最大値、図１の（Ｂ）の（２）に示す“Ｃ”は水平方向の有効領域の大きさの指定単位、“Ｄ”は垂直方向の有効領域の大きさの指定単位、図１の（Ｂ）の（３）に示す“Ｅ”は水平方向の有効領域の位置、“Ｆ”は垂直方向の有効領域の位置、図１の（Ｂ）の（４）に示す“Ｇ”は水平方向の有効領域のサイズ、“Ｈ”は垂直方向の有効領域のサイズ、図１の（Ｂ）の（５）に示す“Ｉ”は水平方向の有効領域の位置の指定単位、“Ｊ”は垂直方向の有効領域の位置の指定単位を示す。
【００１８】
次に、図１の（Ａ）及び（Ｂ）を参照して、上記本実施の形態１における画像伝送方法を説明する。まず、カメラ側のメモリー（後述する）には、有効領域の大きさの最大値（Ａ：水平方向、Ｂ：垂直方向）の画素数と有効領域の大きさの指定単位（Ｃ：水平方向、Ｄ：垂直方向）の画素数と有効領域の位置の指定単位（Ｉ：水平方向、Ｊ：垂直方向）の画素数とを設定する。画像領域の伝送を要求する操作・制御装置側（パソコン等如何なる操作・制御手段でもよい）はこれら各値（Ａ，Ｂ，Ｃ，Ｄ，Ｉ，Ｊの値）をカメラ側に問い合わせて取得する。
【００１９】
操作・制御装置側は取得した有効領域の大きさの指定単位Ｃ，Ｄに基づき、領域が有効領域の大きさの指定単位（Ｃ：水平方向、Ｄ：垂直方向）の整数倍で有効領域の大きさの最大値以内の値となるような有効領域のサイズ（Ｇ：水平方向、Ｈ：垂直方向）を決定し、また、制御装置側は取得した有効領域の位置の指定単位（Ｉ：水平方向、Ｊ：垂直方向）に基づき、有効領域の大きさの指定単位Ｃ，Ｄとは関係なく有効領域の位置（Ｅ：水平方向、Ｆ：垂直方向）を決定して、それぞれカメラのレジスタに設定する。上記の有効領域のサイズ（Ｇ：水平方向、Ｈ：垂直方向）により伝送するための領域（有効領域）の大きさを決定し、有効領域の位置の指定単位（Ｉ：水平方向、Ｊ：垂直方向）により有効領域が存在する画面上の位置を決定する。
【００２０】
これらパラメータの値を伝送制御手段（後述する）のメモリーの中に設定した後、画像伝送手順を開始して、上記で指定した有効領域、すなわち、有効領域の画像データをネットワーク上に伝送する。
【００２１】
このようにすれば、有効領域の位置を指定する指定単位と有効領域のサイズを指定する指定単位とが相互に関係なく設定されるようにしたので、どちらか一方の指定単位の設定に制約があっても、その制約が他方には波及しないため、自由に設計することができる。
【００２２】
次に、図２乃至図４を参照して、本発明の実施の形態１における画像伝送方法を実現する画像伝送装置について説明する。図２は本発明の実施の形態１における画像伝送装置の全体を概略示すブロック図、図３は図２に示す伝送手段の詳細なブロック図、図４は図３に示す有効領域判定手段の詳細を示す図であり、（Ａ）は有効領域判定手段のブロック図、（Ｂ）は有効領域判定手段で判定する有効領域を示す図である。
【００２３】
まず、図２を参照して、本発明の実施の形態１における画像伝送装置全体の構成を説明する。図２において、１０１は、例えばカメラで撮影した映像をディジタル電気信号に変換して出力する画像取得手段、１０２は画像取得手段１０１から受け取ったディジタル電気信号を処理して有効領域の画素データのみをそれを要求するネットワークに接続された外部の装置（例えば、パソコン、モニター、記録装置等）に出力する伝送手段、１０３は外部の操作・制御装置からの指令により伝送手段１０２に対し伝送する有効画素を設定するための有効画素値設定信号を供給する伝送制御手段である。
【００２４】
次に、図２を参照して、本発明の実施の形態１における画像伝送装置の動作の概略を説明する。前述のように、伝送制御手段１０３はメモリーを有し、有効領域の大きさの最大値（Ａ、Ｂ）及び有効領域の大きさの指定単位（Ｃ，Ｄ）が設定され、さらに伝送制御手段１０３のメモリーには外部の操作・制御装置からの指令により有効領域の位置（Ｅ、Ｆ）及び有効領域のサイズ（Ｇ、Ｈ）を設定する。そこで、画像取得手段１０１は、例えばカメラで撮影した映像を取得し、ディジタルの画像データに変換して伝送手段１０２に対して出力する。伝送手段１０２は伝送制御手段１０３からの有効領域の位置（Ｅ、Ｆ）及び有効領域のサイズ（Ｇ、Ｈ）に基づき入力した画像データとタイミングを合わせて、有効領域の画素データのみをメモリーに記憶する。その後、記憶したメモリーはパケットとして外部に出力される。
【００２５】
次に、図３を参照して、図２に示す伝送手段１０２の詳細な構成を説明する。図３において、１は画像取得手段１０１から受信した画像データの有効領域内の画素のみを一時記憶するメモリー、２は伝送制御手段１０３からの有効領域の位置（Ｅ、Ｆ）及び有効領域のサイズ（Ｇ、Ｈ）に基づきメモリー１に入力した各画素データをタイミングに合わせて、メモリー１に一時記憶させる処理手段、３は外部のネットワーク及び操作・制御装置と伝送制御手段１０３及び処理手段２との間のデータ及び制御信号をインタフェースするバスＩ／Ｆ回路である。
【００２６】
また、５は位置メモリーからなり、伝送制御手段１０３から有効領域を指定する有効画素のアドレスを示す有効画素値設定信号を受けてその有効画素値（図４の（Ｂ）に示すＨ１，Ｈ２及びＶ１，Ｖ２）を保持する有効画素値保持手段、４はタイミング信号及び有効画素値保持手段５から与えられる有効画素値の情報から、現在画像取得手段１０１から送られてくる画像データが有効領域内（Ｈ１，Ｈ２，Ｖ１，Ｖ２で示される）のものであるときに処理手段２に対し有効信号“１”を出力する有効領域判定手段である。
【００２７】
次に、図３を参照して、図２に示す伝送手段１０２の動作について説明する。まず、伝送制御手段１０３はそのメモリーに設定されている有効領域の大きさの最大値（Ａ、Ｂ）、有効領域の大きさの指定単位（Ｃ，Ｄ）及び有効領域の位置の指定単位（Ｉ：水平方向、Ｊ：垂直方向）を外部の操作・制御装置からの指令により底に出力する。そして、伝送制御手段１０３はバスＩ／Ｆ回路を介して外部の操作・制御装置から画像データの通信制御情報である通信情報を受信し、そこに含まれている有効領域の位置（Ｅ、Ｆ）及び有効領域のサイズ（Ｇ、Ｈ）情報を取得する。
【００２８】
伝送制御手段１０３は取得した有効領域の位置（Ｅ、Ｆ）及び有効領域のサイズ（Ｇ、Ｈ）情報に基づき画面の有効領域を特定する水平有効画素値（Ｈ１，Ｈ２）及び垂直有効画素値（Ｖ１，Ｖ２）を含む有効画素値設定信号を出力する。尚、水平有効画素値は位置Ｈ１乃至Ｈ２間は有効であることを示し、垂直有効画素値は位置Ｖ１乃至Ｖ２間は有効であることを示す。有効画素値保持手段５は受信した有効画素値を保持し、有効領域判定手段４に出力する。
【００２９】
有効領域判定手段４は、詳しくは後述するように、タイミング信号により画面の各画素をカウントして、そのカウントにより示された位置が受信した有効画素値（Ｈ１，Ｈ２，Ｖ１，Ｖ２）で示す位置と合致したときに、処理手段２に対し有効信号“１”を出力する。処理手段２は同じタイミング信号によって同期されているので、有効信号“１”を受信した位置が分かり、直ちにメモリー１に対して制御信号を送り、その有効信号“１”に対応する画素データを記憶する。
【００３０】
次に、図４を参照して、図３に示す有効領域判定手段４の詳細な構成を説明する。図４の（Ａ）において、１１はクロック信号を受信して画面の水平方向（１からｎ１まで）を画素単位でカウントするカウンタ、１２は画面の垂直方向（１からｎ２まで）を水平ライン単位でカウントするカウンタ、１３はカウンタ１１のカウント値と有効画素値保持手段５からの水平有効画素値（Ｈ１，Ｈ２）とを比較して、カウント値がＨ１からＨ２の範囲内にある場合に水平有効信号“１”を出力する比較手段である。
【００３１】
また、１４はカウンタ１２のカウント値と有効画素値保持手段５からの垂直有効画素値（Ｖ１，Ｖ２）とを比較して、カウント値がＶ１からＶ２の範囲内にある場合に垂直有効信号“１”を出力する比較手段、１５は比較手段１３及び比較手段１４の出力信号を論理積し両出力信号とも論理“１”の場合は有効信号“１”を出力する論理積手段である。
【００３２】
次に、図４の（Ａ）及び（Ｂ）を参照して、図４の（Ａ）に示す有効領域判定手段の動作について説明する。まず、図４の（Ｂ）において、撮像された画素のうち有効領域の大きさの最大値（Ａ：水平方向、Ｂ：垂直方向）の中に、有効領域の位置（Ｅ、Ｆ）を始点（水平有効画素値Ｈ１及び垂直有効画素値Ｖ１で表す）とし、水平方向の有効領域の位置を示す水平有効画素値（Ｈ１，Ｈ２）及び垂直方向の有効領域の位置を示す垂直有効画素値（Ｖ１，Ｖ２）によって囲まれた領域を有効領域として指定する。尚、水平有効画素値（Ｈ１，Ｈ２）は画素を図の左端からカウントしたカウント値であり、垂直有効画素値（Ｖ１，Ｖ２）は画素を図の上端からカウントしたカウント値である。後述するように、この有効領域をカウントしたときには、有効領域判定手段４から有効信号“１”を出力する。
【００３３】
次に、図４の（Ａ）において、カウンタ１１はタイミング信号に含まれているクロック信号により常時カウントされ（カウントアップ）て水平方向の画素のアドレス値を示すカウント値を出力し、図４の（Ｂ）に示す領域の大きさの水平方向の最大値（Ａ）に達したときに、水平同期信号によりリセットされて領域の大きさの水平方向の初期値に戻る。また、カウンタ１２はタイミング信号に含まれている水平同期信号によりカウントされ（撮像された画素を垂直方向にカウントすることになる）て垂直方向の画素のアドレス値を示すカウント値を出力し、図４の（Ｂ）に示す有効領域の大きさの垂直方向の最大値（Ｂ）に達したときに、垂直同期信号によりリセットされて領域の大きさの垂直方向の初期値に戻る。
【００３４】
また、比較手段１３は有効画素値保持手段５から水平有効画素値（Ｈ１，Ｈ２）を受信しカウンタ１１からのカウント値を監視しそれと比較して、カウント値がＨ１からＨ２の範囲内にある場合に水平有効信号“１”を出力する。更に、比較手段１４は有効画素値保持手段５から垂直有効画素値（Ｖ１，Ｖ２）を受信しカウンタ１２からのカウント値を監視しそれと比較して、カウント値がＶ１からＶ２の範囲内にある場合に垂直有効信号“１”を出力する。論理積手段１５は水平有効信号及び垂直有効信号を受信して両信号とも“１”の場合はカウントが有効領域に入ったことを示す有効信号“１”を処理手段２に出力する。
【００３５】
このようにして、画素値のカウントにより現在入力されている画素データが有効画素値（Ｈ１，Ｈ２，Ｖ１，Ｖ２）の範囲内にある場合にのみ、処理手段２に対して有効信号を発生し、その範囲内における画素データをメモリー１に対して書き込むよう許可する。また、パケットサイズに足りるデータがメモリー１内に存在するようになったときにバスＩ／Ｆ回路を経由してその画像データをパケットとしてネットワーク上に送出する。
【００３６】
【発明の効果】
本発明は、上記のように構成し、特に有効領域の大きさを決める指定単位と有効領域の位置を決める指定単位とを別個無関係に設定するようにしたことにより、有効領域の位置を指定する指定単位かまたは有効領域のサイズを指定する指定単位のどちらか一方の指定単位の設定に制約がある場合でも、その制約が他方に波及しないように設定することができる。
【００３７】
本発明は、有効領域の位置を指定する指定単位かまたは有効領域のサイズを指定する指定単位のどちらか一方の指定単位の設定に制約がある場合でも、その制約が他方に波及しないように設定することができるようにしたことにより、有効領域の位置を決める指定単位“Ｉ、Ｊ”の大きさを有効領域の大きさを決める指定単位“Ｃ、Ｄ”の大きさより小さくして、有効領域の位置を細かく設定することができ、また、有効領域の大きさを決める指定単位“Ｃ、Ｄ”の大きさを有効領域の位置を決める指定単位“Ｉ、Ｊ”の大きさより小さくまたは無関係に設定する等自由に設計することができる。
【図面の簡単な説明】
【図１】伝送のためカメラの撮像画面のうち任意の画像領域を指定する指定方法を説明する説明図であり、
（Ａ）は画面上の有効領域及び寸法を示す図、
（Ｂ）は有効領域を指定するためのパラメータを示す図、
【図２】本発明の実施の形態１における画像伝送装置の全体を概略示すブロック図、
【図３】図２に示す伝送手段の詳細なブロック図、
【図４】図３に示す有効領域判定手段の詳細を示す図であり、
（Ａ）は有効領域判定手段のブロック図、
（Ｂ）は有効領域判定手段で判定する有効領域を示す図、
【図５】カメラの撮像画面のうち任意の画像領域を指定する指定方法を説明する説明図であり、
（Ａ）は画面上の有効領域及び寸法を示す図、
（Ｂ）は有効領域を指定するためのパラメータを示す図。
【符号の説明】
１  メモリー
２  処理手段
３  バスＩ／Ｆ回路
４  有効領域判定手段
５  有効画素値保持手段
１１  カウンタ
１２  カウンタ
１３  比較手段
１４  比較手段
１５  論理積手段
１０１  画像取得手段
１０２  伝送手段
１０３  伝送制御手段
【図１】
0004098892.tif 000002
【図２】
0004098892.tif 000003
【図３】
0004098892.tif 000004
【図４】
0004098892.tif 000005
【図５】
0004098892.tif 000006